(57)【特許請求の範囲】
【請求項１】
無端状のベルト部材、前記ベルト部材を張架する複数の張架部材、及び、前記ベルト部材のベルト部材幅方向両側において前記複数の張架部材を支持する支持部材からなるベルトユニットと、
前記ベルト部材の表面の付着物を除去して、前記ベルト部材の表面に臨むように下向きに開口された回収口から内部に前記付着物を取り込むクリーニングユニットとを備え、
前記ベルトユニットと前記クリーニングユニットとが一体となった状態で画像形成装置に対し着脱可能なベルト装置であって、
前記画像形成装置から前記ベルト装置を取り外した状態で、前記ベルトユニットに対して前記クリーニングユニットが着脱可能であり、
前記画像形成装置から前記ベルト装置が取り外され、前記ベルトユニットと一体となった前記クリーニングユニットを前記回収口が上を向いた状態で水平な設置箇所に着けて置いたときに、前記水平な設置箇所に着いて前記クリーニングユニットと共に前記ベルトユニットの姿勢を維持するユニット姿勢維持手段を有し、
前記ベルトユニットに対して前記クリーニングユニットを固定する固定手段を有しており、前記固定手段を前記ベルトユニットのベルト下面側に設け、
前記固定手段は、前記支持部材の底面に設けた切り欠きと、該切り欠きに係合する前記クリーニングユニットに設けられた係合部材とからなることを特徴とするベルト装置。
【請求項２】
無端状のベルト部材、前記ベルト部材を張架する複数の張架部材、及び、前記ベルト部材のベルト部材幅方向両側において前記複数の張架部材を支持する支持部材からなるベルトユニットと、
前記ベルト部材の表面の付着物を除去して、前記ベルト部材の表面に臨むように下向きに開口された回収口から内部に前記付着物を取り込むクリーニングユニットとを備え、
前記ベルトユニットと前記クリーニングユニットとが一体となった状態で画像形成装置に対し着脱可能なベルト装置であって、
前記画像形成装置から前記ベルト装置を取り外した状態で、前記ベルトユニットに対して前記クリーニングユニットが着脱可能であり、
前記画像形成装置から前記ベルト装置が取り外され、前記ベルトユニットと一体となった前記クリーニングユニットを前記回収口が上を向いた状態で水平な設置箇所に着けて置いたときに、前記水平な設置箇所に着いて前記クリーニングユニットと共に前記ベルトユニットの姿勢を維持するユニット姿勢維持手段を有し、
前記ベルトユニットに対して前記クリーニングユニットを固定する固定手段を有しており、前記固定手段を前記ベルトユニットのベルト下面側に設け、
前記固定手段は、前記支持部材の底面に設けた第１の穴と、前記クリーニングユニットに設けられた第２の穴と、前記第１の穴と前記第２の穴とに挿入され前記支持部材と前記クリーニングユニットとを締結する締結部材と、からなり、
前記支持部材は、前記固定手段による固定を外した状態で前記クリーニングユニットをスライド移動可能に案内するガイド部を有することを特徴とするベルト装置。
【請求項３】
無端状のベルト部材と、前記ベルト部材を張架する複数の張架部材とからなるベルトユニットと、
前記ベルト部材の表面の付着物を除去して、前記ベルト部材の表面に臨むように下向きに開口された回収口から内部に前記付着物を取り込むクリーニングユニットとを備え、
前記ベルトユニットと前記クリーニングユニットとが一体となった状態で画像形成装置に対し着脱可能なベルト装置であって、
前記画像形成装置から前記ベルト装置を取り外した状態で、前記ベルトユニットに対して前記クリーニングユニットが着脱可能であり、
前記クリーニングユニットは水平な底面を有しており、
前記画像形成装置から前記ベルト装置が取り外され、前記ベルトユニットと一体となった前記クリーニングユニットを前記回収口が上を向いた状態で水平な設置箇所に前記底面を着けて置いたときに、自身に設けられた水平面を前記水平な設置箇所に着いて、前記クリーニングユニットと共に前記ベルトユニットの姿勢を維持するユニット姿勢維持手段を有することを特徴とするベルト装置。
【請求項４】
請求項１、２または３記載のベルト装置であって、
前記ユニット姿勢維持手段は、前記ベルトユニットと一体となった前記クリーニングユニットを前記水平な設置箇所に置いたときに、前記ベルトユニットが略水平となるように姿勢を維持することを特徴とするベルト装置。
【請求項５】
請求項４記載のベルト装置であって、
前記ユニット姿勢維持手段は、前記ベルト部材のベルト部材幅方向両側において前記複数の張架部材を支持する支持部材の一部が延設されたものであることを特徴とするベルト装置。
【請求項６】
トナー像を形成するトナー像形成手段と、
自らのループ内側に配設された複数の張架ローラによって張架された状態で無端移動せしめられる無端状のベルト部材と、前記ベルト部材の表面に付着している付着物をクリーニングするクリーニングユニットとを有するベルト装置とを備えた画像形成装置において、
前記ベルト装置として請求項１、２、３、４または５記載のベルト装置を用いたことを特徴とする画像形成装置。
【発明の詳細な説明】
【技術分野】
【０００１】
本発明は、プリンタ、ファクシミリ、複写機などの画像形成装置に用いられるベルト装置、及び、そのベルト装置を備えた画像形成装置に関するものである。
【背景技術】
【０００２】
この種の画像形成装置として、無端ベルト状の中間転写ベルトの水平方向に張架された張架部に沿って４つの像担持体としての感光体ドラムを並設したタンデム型の画像形成装置が知られている。この画像形成装置は、４つの感光体ドラム上に互いに異なる色のトナー像を形成し、各感光体ドラム上のトナー像を中間転写ベルト上に重ね合わせて一次転写し、中間転写ベルト上に重ね合わせたトナー像を転写紙に一括転写するものである。中間転写ベルトから転写紙にトナー像を転写した後、中間転写ベルト上に残留したトナーはクリーニング装置によって中間転写ベルト表面から除去される。
【０００３】
特許文献１に記載の画像形成装置では、中間転写ベルト上面に対向させてクリーング装置が配置されている。この画像形成装置では、クリーニング装置の筐体に形成した開口からクリーニングブレードを外部に覗かせて、クリーニングブレードを中間転写ベルト上面に接触させている。クリーニングブレードにより中間転写ベルト上面から除去されたトナーは、前記開口を通ってクリーニング装置内に回収される。
【発明の概要】
【発明が解決しようとする課題】
【０００４】
寿命に達する前にクリーニング装置を画像形成装置本体から取り外して交換することで、良好なクリーニング性を確保することができる。しかしながら、特許文献１に記載の画像形成装置のように、クリーニング装置を中間転写ベルト上面に対向させて配置すると、クリーニングブレードを外部に覗かせるためにクリーニング装置の筐体に形成させた開口が下向きになる。そのため、画像形成装置本体からクリーニング装置を取り外すと、クリーニング装置内に回収したトナーが重力により前記開口からクリーニング装置外に漏れだしてしまうといった問題が生じる。
【０００５】
また、ベルト状の潜像担持体である感光体ベルトや転写材を搬送する搬送ベルトをクリーニングするクリーニング装置においても、上述したのと同様の問題が生じる。
【０００６】
本発明は以上の問題点に鑑みなされたものであり、その目的は、トナー漏れを抑えつつクリーニング手段の取り外しを行えるベルト装置、及び、そのベルト装置を備えた画像形成装置を提供することである。
【課題を解決するための手段】
【０００７】
上記目的を達成するために、請求項１の発明は、無端状のベルト部材、前記ベルト部材を張架する複数の張架部材、及び、前記ベルト部材のベルト部材幅方向両側において前記複数の張架部材を支持する支持部材からなるベルトユニットと、前記ベルト部材の表面の付着物を除去して、前記ベルト部材の表面に臨むように下向きに開口された回収口から内部に前記付着物を取り込むクリーニングユニットとを備え、前記ベルトユニットと前記クリーニングユニットとが一体となった状態で画像形成装置に対し着脱可能なベルト装置であって、前記画像形成装置から前記ベルト装置を取り外した状態で、前記ベルトユニットに対して前記クリーニングユニットが着脱可能であり、前記画像形成装置から前記ベルト装置が取り外され、前記ベルトユニットと一体となった前記クリーニングユニットを前記回収口が上を向いた状態で水平な設置箇所に着けて置いたときに、前記水平な設置箇所に着いて前記クリーニングユニットと共に前記ベルトユニットの姿勢を維持するユニット姿勢維持手段を有し、前記ベルトユニットに対して前記クリーニングユニットを固定する固定手段を有しており、前記固定手段を前記ベルトユニットのベルト下面側に設け、前記固定手段は、前記支持部材の底面に設けた切り欠きと、該切り欠きに係合する前記クリーニングユニットに設けられた係合部材とからなることを特徴とするものである。
また、請求項２の発明は、無端状のベルト部材、前記ベルト部材を張架する複数の張架部材、及び、前記ベルト部材のベルト部材幅方向両側において前記複数の張架部材を支持する支持部材からなるベルトユニットと、前記ベルト部材の表面の付着物を除去して、前記ベルト部材の表面に臨むように下向きに開口された回収口から内部に前記付着物を取り込むクリーニングユニットとを備え、前記ベルトユニットと前記クリーニングユニットとが一体となった状態で画像形成装置に対し着脱可能なベルト装置であって、前記画像形成装置から前記ベルト装置を取り外した状態で、前記ベルトユニットに対して前記クリーニングユニットが着脱可能であり、前記画像形成装置から前記ベルト装置が取り外され、前記ベルトユニットと一体となった前記クリーニングユニットを前記回収口が上を向いた状態で水平な設置箇所に着けて置いたときに、前記水平な設置箇所に着いて前記クリーニングユニットと共に前記ベルトユニットの姿勢を維持するユニット姿勢維持手段を有し、前記ベルトユニットに対して前記クリーニングユニットを固定する固定手段を有しており、前記固定手段を前記ベルトユニットのベルト下面側に設け、前記固定手段は、前記支持部材の底面に設けた第１の穴と、前記クリーニングユニットに設けられた第２の穴と、前記第１の穴と前記第２の穴とに挿入され前記支持部材と前記クリーニングユニットとを締結する締結部材と、からなり、前記支持部材は、前記固定手段による固定を外した状態で前記クリーニングユニットをスライド移動可能に案内するガイド部を有することを特徴とするものである。
また、請求項３の発明は、無端状のベルト部材と、前記ベルト部材を張架する複数の張架部材とからなるベルトユニットと、前記ベルト部材の表面の付着物を除去して、前記ベルト部材の表面に臨むように下向きに開口された回収口から内部に前記付着物を取り込むクリーニングユニットとを備え、前記ベルトユニットと前記クリーニングユニットとが一体となった状態で画像形成装置に対し着脱可能なベルト装置であって、前記画像形成装置から前記ベルト装置を取り外した状態で、前記ベルトユニットに対して前記クリーニングユニットが着脱可能であり、前記クリーニングユニットは水平な底面を有しており、前記画像形成装置から前記ベルト装置が取り外され、前記ベルトユニットと一体となった前記クリーニングユニットを前記回収口が上を向いた状態で水平な設置箇所に前記底面を着けて置いたときに、自身に設けられた水平面を前記水平な設置箇所に着いて、前記クリーニングユニットと共に前記ベルトユニットの姿勢を維持するユニット姿勢維持手段を有することを特徴とするものである。
また、請求項４の発明は、請求項１、２または３記載のベルト装置であって、前記ユニット姿勢維持手段は、前記ベルトユニットと一体となった前記クリーニングユニットを前記水平な設置箇所に置いたときに、前記ベルトユニットが略水平となるように姿勢を維持することを特徴とするものである。
また、請求項５の発明は、請求項４記載のベルト装置であって、前記ユニット姿勢維持手段は、前記ベルト部材のベルト部材幅方向両側において前記複数の張架部材を支持する支持部材の一部が延設されたものであることを特徴とするものである。
また、請求項６の発明は、トナー像を形成するトナー像形成手段と、自らのループ内側に配設された複数の張架ローラによって張架された状態で無端移動せしめられる無端状のベルト部材と、前記ベルト部材の表面に付着している付着物をクリーニングするクリーニングユニットとを有するベルト装置とを備えた画像形成装置において、前記ベルト装置として請求項１、２、３、４または５記載のベルト装置を用いたことを特徴とするものである。
【０００８】
本発明においては、装置からベルトユニットとクリーニング手段とを一体で取り外し、クリーニング手段の回収口が上を向いた状態で、ベルトユニットの姿勢をユニット姿勢維持手段により維持させて床などの設置箇所に置くことができる。これにより、装置からベルトユニットとクリーニング手段とを一体で取り外し前記回収口が上を向いた状態でベルトユニットを床などの設置箇所に置いてから、クリーニング手段をベルトユニットから取り外すことができる。よって、クリーニング手段を取り外した際に、クリーニング手段内に回収された前記付着物が重力により前記回収口から外部に漏れ出すのを抑制することができる。
【発明の効果】
【０００９】
以上、本発明によれば、トナー漏れを抑えつつクリーニング手段の取り外しを行えるという優れた効果がある。
【図面の簡単な説明】
【００１０】
【図１】装置装着時の中間転写ユニットの姿勢である天地正常状態に対して中間転写ユニットの姿勢を天地逆にして水平部に置いたときの概略図。
【図２】実施形態に係る画像形成装置の概略構成図。
【図３】実施形態に係る画像形成装置の要部の概略構成図。
【図４】形状係数ＳＦ−１を説明するためにトナーの形状を模式的に表した図。
【図５】形状係数ＳＦ−２を説明するためにトナーの形状を模式的に表した図。
【図６】クリーニングユニットの取り付け部を示す概念図。
【図７】クリーニングユニットがついた中間転写ユニットを天地逆にして平面においた場合の概念図。
【図８】クリーニングユニットの取り付け部を示す概念図。
【発明を実施するための形態】
【００１１】
以下に、本発明を実施するための最良の形態を図面に基づいて説明する。
なお、いわゆる当業者は特許請求の範囲内における本発明を変更・修正をして他の実施形態をなすことは容易であり、これらの変更・修正はこの特許請求の範囲に含まれるものであり、以下の説明はこの発明における最良の形態の例であって、この特許請求の範囲を限定するものではない。
【００１２】
図２は本実施形態に係る画像形成装置の概略構成図であり、図３は本実施形態に係る画像形成装置の要部の概略構成図である。
【００１３】
この画像形成装置は、イエロー、マゼンタ、シアン、ブラック（以下、Ｙ、Ｃ、Ｍ、Ｋと記す）のトナー像を形成するための４つのプロセスユニット２６Ｙ，２６Ｍ，２６Ｃ，２６Ｋを備えている。これらは、画像形成物質として、互いに異なる色のＹ，Ｍ，Ｃ，Ｋトナーを用いるが、それ以外は同様の構成になっており、寿命到達時に交換される。Ｋトナー像を形成するためのプロセスユニット２６Ｋを例にすると、潜像担持体たる感光体ドラム１Ｋ、ドラムクリーニング装置６Ｋ、除電装置（不図示）、帯電装置２Ｋ、現像装置４Ｋ等を備えている。画像形成ユニットたるプロセスユニット２６Ｋは、プリンタ本体に脱着可能であり、一度に消耗部品を交換できるようになっている。
【００１４】
図２において、プロセスユニット２６Ｙ，２６Ｃ，２６Ｍ，２６Ｋの鉛直方向上方には、光書込ユニット３が配設されている。潜像書込装置たる光書込ユニット３は、画像情報に基づいてレーザーダイオードから発したレーザー光Ｌにより、プロセスユニット２６Ｙ，２６Ｍ，２６Ｃ，２６Ｋにおける感光体ドラム１Ｙ，１Ｍ，１Ｃ，１Ｋを光走査する。この光走査により、感光体ドラム１Ｙ，１Ｍ，１Ｃ，１Ｋ上にＹ，Ｍ，Ｃ，Ｋ用の静電潜像が形成される。かかる構成においては、光書込ユニット３と、プロセスユニット２６Ｙ，２６Ｍ，２６Ｃ，２６Ｋとにより、３つ以上の潜像担持体にそれぞれ互いに異なる色の可視像たるＹ，Ｍ，Ｃ，Ｋトナー像を形成するトナー像形成手段として機能している。
【００１５】
帯電装置２Ｋは、図示しない駆動手段によって図中時計回りに回転せしめられる感光体ドラム１Ｋの表面を一様帯電せしめる。一様帯電せしめられた感光体ドラム１Ｋの表面は、レーザー光Ｌによって露光走査されてＫ用の静電潜像を担持する。このＫ用の静電潜像は、図示しないＫトナーを用いる現像装置４ＫによってＹトナー像に現像される。そして、後述する中間転写ベルト５上に中間転写される。ドラムクリーニング装置６Ｋは、中間転写工程を経た後の感光体ドラム１Ｋ表面に付着している転写残トナーを除去する。また、上記除電装置は、クリーニング後の感光体ドラム１Ｋの残留電荷を除電する。この除電により、感光体ドラム１Ｋの表面が初期化されて次の画像形成に備えられる。他色のプロセスユニット２６Ｙ，２６Ｍ，２６Ｃにおいても、同様にして感光体ドラム１Ｙ，１Ｍ，１Ｃ上にＹ，Ｃ，Ｍトナー像が形成されて、後述する中間転写ベルト５上に中間転写される。
【００１６】
プロセスユニット２６Ｙ，２６Ｃ，２６Ｍ，２６Ｋの鉛直方向下方には、無端状の中間転写ベルト５を張架しながら図中反時計回り方向に無端移動せしめるベルト装置たる中間転写ユニット３２が配設されている。
【００１７】
ベルト装置を構成するサービスパーツたる中間転写ユニット３２やクリーニングユニット３３が一体で装置本体に対して着脱可能に設けられている。中間転写ユニット３２は、画像形成装置本体に設けられた不図示の中間転写ユニット位置保持ガイドによって画像形成装置本体に対し略水平に着脱が可能となっている。
【００１８】
中間転写ユニット３２とは、中間転写ベルト５、二次転写対向ローラでもある駆動ローラ７、テンションローラ８、一次転写ローラ９Ｙ，９Ｍ，９Ｃ，９Ｋ、一次転写ローラ９Ｙ，９Ｍ，９Ｃ，９Ｋを軸支するそれぞれに対応させて設けられた図示しない一次転写ローラアーム、クリーニングブレード対向ローラ１３ｂ、ブラシ対向ローラ１３ａ、及び、左右側板等で構成されたものである。
【００１９】
また、クリーニングユニット３３は、クリーニングブレード１０、固形潤滑剤１１、ブラシローラ１２、廃トナー搬送スクリュー１８、加圧ローラ１７、及び、トナー漏れ出しを防ぐ不図示のシール部材などから構成されている。
【００２０】
中間転写ベルト５は、無端状のベルトであり、張架部材である駆動ローラ７、テンションローラ８により張架されており、図示しない駆動モータによって駆動され、そのプロセス速度は１５０［ｍｍ／ｓｅｃ］に調整されている。中間転写ベルト５は画像形成装置本体に装着されている状態で、上側の面が上面であり、下側の面が下面である。
【００２１】
中間転写ベルト５はまた、内側に従動ローラたる一次転写ローラ９、クリーニングブレード対向ローラ１３ｂを持っている。また、各ローラは図示しない中間転写ユニット側板によって各軸受けやアームを介して中間転写ベルト５の両側より支持されている。つまり、中間転写ベルト５は、張架部材である駆動ローラ７やテンションローラ８を介して中間転写ユニット側板に支持されている。符号１００は図示しない中間転写ユニット側板の一部を上方に延設させ、中間転写ユニット３２を設置箇所に設置した際の中間転写ユニット３２の姿勢を維持するユニット姿勢維持部材であり、クリーニングユニット３３と同じ高さになっている。
【００２２】
一次転写ローラ９は、感光体ドラム１と中間転写ベルト５との接触部に配置されており、一次転写ローラ９には所定の転写バイアスが印加される。本実施例では＋１８００［Ｖ］が印加されるように設定されている。
【００２３】
中間転写ベルト５はＰＶＤＦ（フッ化ビニルデン）、ＥＴＦＥ（エチレン−四フッ化エチレン共重合体）、ＰＩ（ポリイミド）、ＰＣ（ポリカーボネート）等を単層または複数層に構成し、カーボンブラック等の導電性材料を分散させ、その体積抵抗率を１０８［Ωｃｍ］〜１０１２［Ωｃｍ］、且つ、表面抵抗率を１０９［Ωｃｍ］〜１０１３［Ωｃｍ］の範囲となるよう調整されている。
【００２４】
なお、必要に応じて中間転写ベルト５の表面に離型層をコートしても良い。コートに用いる材料としては、ＥＴＦＥ（エチレン−四フッ化エチレン共重合体）、  ＰＴＦＥ（ポリ四フッ化エチレン）、ＰＶＤＦ（フッ化ビニルデン）、ＰＥＡ（パ−フルオロアルコキシフッ素樹脂）、ＦＥＰ（四フッ化エチレン−六フッ化プロピレン共重合体）、ＰＶＦ（フッ化ビニル）等のフッ素樹脂が使用できるが、これに限定されるものではない。
【００２５】
中間転写ベルト５の製造方法は注型法、遠心成形法等があり、必要に応じてその表面を研磨しても良い。中間転写ベルト５の体積抵抗率が上述した範囲を超えると、転写に必要なバイアスが高くなるため、電源コストの増大を招くため好ましくない。また、転写工程、転写紙剥離工程などで中間転写ベルト５の帯電電位が高くなり、かつ自己放電が困難になるため除電手段を設ける必要が生じる。また、体積抵抗率および表面抵抗率が上記範囲を下回ると、帯電電位の減衰が早くなるため自己放電による除電には有利となるが、転写時の電流が面方向に流れるためトナー飛び散りが発生してしまう。したがって、本発明における中間転写ベルト５の体積抵抗率および表面抵抗率は上記範囲内が好ましい。
【００２６】
なお、体積抵抗率および表面抵抗率の測定は高抵抗抵抗率計（三菱化学社製：ハイレスタ）にＨＲＳプローブ（内側電極直径５．９［ｍｍ］、リング電極内径１１［ｍｍ］）を接続し、中間転写ベルト５の表裏に１００［Ｖ］（表面抵抗率は５００［Ｖ］）の電圧を印加して１０秒後の測定値を用いた。
【００２７】
ウレタンゴムよりなる、クリーニングブレード１０（クリーニング部材）は中間転写ベルト５に押し当てられ、トナーを堰き止めて清掃する構成となっている。  クリーニングしやすくする為に、固形潤滑剤１１をブラシローラ１２により塗布する。潤滑剤には、直鎖状の炭化水素構造を持つ、脂肪酸金属塩を用いる。
【００２８】
脂肪酸金属塩としては、ステアリン酸、パルミチン酸、ミリスチン酸、オレイン酸から選択される少なくとも１種以上の脂肪酸を含有し、亜鉛、アルミニウム、カルシウム、マグネシウム、リチウムから選択される少なくとも１種以上の金属を含有する脂肪酸金属塩が挙げられる。とりわけその中でもステアリン酸亜鉛は、工業的規模で生産されかつ多方面での使用実績があることから、コストと品質安定性とおよび信頼性で、最も好ましい材料である。
【００２９】
ただし、一般に工業的に使われている高級脂肪酸金属塩は、その名称の化合物単体組成ではなく、多かれ少なかれ類似の他の脂肪酸金属塩、金属酸化物、および遊離脂肪酸を含むものであり、本発明での脂肪酸金属塩もその例外ではない。
【００３０】
これらの潤滑剤は微量ずつ、粉体の形態で供給されるのであるが、その具体的な方法としては、ブラシなどの潤滑剤塗布手段によりブロック上に固形成形された潤滑剤を削り取って塗布する方法や、トナーに外添して供給する方法等がある。ただし、トナーに外添して潤滑剤を供給する場合、その供給量が出力する画像面積に依存し、常にベルト表面全面に供給することはできない為、簡易な装置構成で、かつ、ベルト表面全面に安定に潤滑剤を供給しようとした場合、本実施例のように固形潤滑剤をブラシで削り取って塗布する方法が良い。
【００３１】
固形潤滑剤１１をブラシローラ１２で削り取る為に、スプリングのような弾性体である潤滑剤加圧手段により、固形潤滑剤を１［Ｎ］〜４［Ｎ］の力でブラシローラ１２に圧接する。固形潤滑剤１１の幅は、画像幅よりも広く設定する必要があるため、２９４［ｍｍ］以上とする。ブラシローラ１２の幅は、固形潤滑剤１１を均一に削り取る為に、固形潤滑剤１１の幅よりも大きくとる必要がある。ブラシローラ１２には中間転写ベルト５を介して対向して設けられたブラシ対向ローラ１３ａが設けられている。
【００３２】
また、ブラシローラ１２による中間転写ベルト５への振動を抑制するために、加圧ローラ１７で中間転写ベルト５を加圧している。本実施例では加圧ローラ１７を中間転写ベルト５のループ外側に設けているが、中間転写ベルト５のループ内側に加圧ローラ１７を設けた場合でも同様の効果を得ることができる。
【００３３】
クリーニングユニット３３は、クリーニング部材としてのクリーニングブレード１０、ブラシローラ１２、固形潤滑剤１１、加圧ローラ１７、さらに、クリーニングブレード１０でかきとったトナーを受け入れるトナー入口３５、トナー入口３５から受け入れたトナーを収納するトナー収容部（不図示）、からなる。なお、潤滑剤を塗布するためのブラシローラ１２等は無くてもよい。また加圧ローラ１７も無くてもよい。
【００３４】
さらに、クリーニングユニット３３は、中間転写ベルト５の上面側に設けられている。これにより、従来のように、テンションローラ８に対向させて、中間転写ユニット３２の横に設ける構成よりも、装置全体の横方向のコンパクト化が可能となる。また、ベルト下面５ｂ側に設けずに、プロセスユニット２６が設けられているベルト上面５ａ側に設けたので、装置の高さ方向のコンパクト化も可能となる。
【００３５】
また、一次転写ローラ９Ｋ，９Ｃ，９Ｍ，９Ｙのうちカラー用の一次転写ローラ９Ｃ，９Ｍ，９Ｙは、従来と同様な接離機構（図示せず）で中間転写ベルト５と接離可能となっており、フルカラーモードに一次転写ローラ９Ｃ，９Ｍ，９Ｙがモノクロモード時の状態から図３で示すように中間転写ベルト５に当接し、中間転写ベルト５を押し伸ばした状態でそれぞれの感光体ドラム１に中間転写ベルト５が当接して巻き付くようになっている。モノクロ用の一次転写ローラ９Ｋは、前記の接離機構によらずして中間転写ベルト５が巻き付いている。
【００３６】
中間転写ユニット３２を引き抜く際は、モノクロモードにすることでカラー用の一次転写ローラ９Ｃ，９Ｍ，９Ｙが感光体ドラム１と接触することを回避している。なお、いつ中間転写ユニット３２を引き抜かれてもいいよう、印刷停止時にはモノクロモードにして停止する方法を採用している。
【００３７】
二次転写ローラ１４はステンレス鋼等の金属製芯金上に、導電性材料によって１０６［Ω］〜１０１０［Ω］の抵抗値に調整されたウレタン等の弾性体を被覆することで構成されている。
【００３８】
ここで、二次転写ローラ１４の抵抗値が上記範囲を超えると電流が流れ難くなるため、必要な転写性を得る為にはより高電圧を印加しなければならなくなり、電源コストの増大を招く。また、高電圧を印加するため転写部ニップ前後の空隙にて放電が起こる為、ハーフトーン画像上に放電による白ポチ抜けが発生する。逆に、二次転写ローラ１４の抵抗値が上記範囲を下回ると同一画像上に存在する複数色画像部（例えば３色重ね像）と単色画像部との転写性が両立できなくなる。これは、二次転写ローラ１４の抵抗値が低い為、比較的低電圧で単色画像部を転写するのに十分な電流が流れるが、複数色画像部を転写するには単色画像部に最適な電圧よりも高い電圧値が必要となるため、複数色画像部を転写できる電圧に設定すると単色画像では転写電流過剰となり転写効率の低減を招く。
【００３９】
なお、二次転写ローラ１４の抵抗値測定は、導電性の金属製板に二次転写ローラ１４を設置し、芯金両端部に片側４．９［Ｎ］（両側で合計９．８［Ｎ］）の荷重を掛けた状態にて、芯金と前記金属製板との間に１０００［Ｖ］の電圧を印加した時に流れる電流値から算出した。
【００４０】
また、二次転写ローラ１４は駆動ギヤ（図示しない）によって駆動力が与えられており、その周速は中間転写ベルト５の周速に対して、略同一となるよう調整されている。二次転写は定電流で制御され、本実施例ではその設定値を＋３０［μＡ］とした。
【００４１】
画像形成装置本体下部には転写紙１５を収納する給紙トレイ４１が設けられており、給紙トレイ４１に収納された転写紙１５を、給紙ローラ４２やレジストローラ４３，４４によって、中間転写ベルト５上の４色重ね画像の先端部が二次転写位置に到達するタイミングに合わせて給紙する。転写紙１５に転写された４色重ね画像は、上述したように除電手段によって除電された後に不図示の定着入口ガイドに沿って定着装置１６へ搬送され、ヒータ４５ａを内包する加熱ローラ４５と加圧ローラ４７とで形成される定着ニップで熱と圧力により定着されたあと排紙ローラ対４８によって排紙トレイ５６に排紙される。
【００４２】
なお、本実施例に用いたトナーは重合法によって生成された重合トナーである。更に本実施例に用いるトナーの形状係数ＳＦ−１は１００〜１８０、形状係数ＳＦ−２は１００〜１８０の範囲にあることが好ましい。
【００４３】
図４は形状係数ＳＦ−１を説明するためにトナーの形状を模式的に表した図であり、図５は形状係数ＳＦ−２を説明するためにトナーの形状を模式的に表した図である。
【００４４】
形状係数ＳＦ−１は、トナー形状の丸さの割合を示すものであり、下記数１で表される。トナーを二次元平面に投影してできる形状の最大長ＭＸＬＮＧの二乗を図形面積ＡＲＥＡで除して、１００π／４を乗じた値である。
【００４５】
【数１】
0005741998.tif 000002
【００４６】
ＳＦ−１の値が１００の場合トナーの形状は真球となり、ＳＦ−１の値が大きくなるほど不定形になる。
【００４７】
また、形状係数ＳＦ−２は、トナー形状の凹凸の割合を示すものであり、下記数２で表される。トナーを二次元平面に投影してできる図形の周長ＰＥＲＩの二乗を図形面積ＡＲＥＡで除して、１００／４πを乗じた値である。
【００４８】
【数２】
0005741998.tif 000003
【００４９】
ＳＦ−２の値が１００の場合トナー表面に凹凸が存在しなくなり、ＳＦ−２の値が大きくなるほどトナー表面の凹凸が顕著になる。
【００５０】
形状係数の測定は、具体的には、走査型電子顕微鏡（Ｓ−８００：日立製作所製）でトナーの写真を撮り、これを画像解析装置（ＬＵＳＥＸ３：ニレコ社製）に導入して解析して計算した。トナーの形状が球形に近くなると、トナーとトナーあるいはトナーと感光体との接触状態が点接触になるために、トナー同士の吸着力は弱くなり従って流動性が高くなり、また、トナーと感光体との吸着力も弱くなって、転写率は高くなる。形状係数ＳＦ−１、ＳＦ−２のいずれかが１８０を超えると、転写率が低下するとともに転写手段に付着した場合のクリーニング性も低下するため好ましくない。
【００５１】
また、トナー粒径は体積平均粒径で４［μｍ］〜１０［μｍ］の範囲であることが望ましい。これよりも小粒径の場合には現像時に地汚れの原因となったり、流動性が悪化し、さらに凝集しやすくなるので中抜けが発生しやすくなったりする。
【００５２】
逆にこれよりも大粒径の場合にはトナー飛び散りや、解像度悪化により高精細な画像を得ることができない。本実例では、トナー粒径の体積平均粒径６．５［μｍ］のものを用いた。
【００５３】
前記のような画像形成装置において、中間転写ユニット３２やクリーニングユニット３３が寿命に到達した場合などには、装置本体から脱着して、交換する必要がある。一般に中間転写ユニット３２の寿命より、クリーニングユニット３３の寿命のほうが短い場合が多い。このため、クリーニングユニット３３のみをサービスマンにより交換可能な構成とすれば両者を同時に交換するよりもコストメリットは大きくなる。
【００５４】
［実施例１］
図１、図６を用いて、中間転写ユニット３２からクリーニングユニット３３を取り外す方法について説明する。
【００５５】
図１は、装置本体から中間転写ユニット３２とクリーニングユニット３３とを一体で取り外し、装置装着時の中間転写ユニット３２の姿勢である天地正常状態に対して中間転写ユニット３２の姿勢を天地逆にして床などの設置箇所である水平部に置いたときの概略図であり、図６は中間転写ユニット３２の姿勢を天地正常状態から天地逆にして水平部に置いたときのクリーニングユニット３３の取り付け部を示す概念図である。なお、クリーニングユニット３３は、中間転写ユニット３２の姿勢を天地正常状態から天地逆にしてもトナーがトナー入口３５から漏れないように不図示のシール部材でシールが施されている。
【００５６】
クリーニングユニット３３は、ベルト幅方向左右計４箇所のネジ３４及び左右計４箇所のクリーニングユニット固定爪３３ａにて中間転写ユニット３２に固定されている。なお、図６においては、ベルト幅方向左右の一方側の２箇所にあるネジ３４やクリーニングユニット固定爪３３ａを示している。これにより、クリーニングユニット固定爪３３ａによる仮止めと、ネジ３４によるネジ止めとにより、組立て性が向上し、省スペースでクリーニングユニット３３を中間転写ユニット３２に固定できる。
【００５７】
ネジ３４は中間転写ユニット３２の姿勢を天地正常状態から天地逆にしない状態で上部からアクセス可能な位置で、強固にクリーニングユニット３３を固定することができる。一方、クリーニングユニット固定爪３３ａは、中間転写ユニット３２やクリーニングユニット３３が画像形成装置本体に装着されており中間転写ユニット３２の姿勢を天地正常状態から天地逆にしない状態では、装置内のクリーニングユニット固定爪３３ａの位置まで指が入るスペースがないため、クリーニングユニット固定爪３３ａを外すことができず、クリーニングユニット固定爪３３ａは、装置本体から中間転写ユニット３２とクリーニングユニット３３とを一体で取り外し、中間転写ユニット３２の姿勢を天地正常状態から天地逆にした状態にすることで、中間転写ユニット３２から外すことができる。
【００５８】
よって、中間転写ユニット３２からクリーニングユニット３３を取り外す際には、まず中間転写ユニット３２やクリーニングユニット３３が画像形成装置本体に装着されており中間転写ユニット３２の姿勢が天地正常状態にてクリーニングユニット３３を固定している左右計４本のネジ３４を外し、次に中間転写ユニット３２とクリーニングユニット３３とを一体で装置本体から取り外して中間転写ユニット３２の姿勢を天地正常状態から天地逆にしてクリーニングユニット３３のトナー入口３５が上を向いた状態で、中間転写ユニット３２の姿勢をユニット姿勢維持部材１００により維持させて床などの設置箇所に置き、クリーニングユニット固定爪３３ａを中間転写ユニット側板２００に設けられた左右計４箇所の切り欠き２０１から外すことでクリーニングユニット３３の取り外しを行う。
【００５９】
なお、クリーングユニット３３を中間転写ユニット３２に固定しているネジ３４は、中間転写ユニット３２とクリーニングユニット３３とを一体で装置本体から取り外した後に外すことも可能であるが、床などに置かず中間転写ユニット３２を天地正常状態の姿勢で作業者が保持して作業を行ったり、中間転写ユニット３２の姿勢を天地正常状態から天地逆にして床などに置いてから作業を行ったりすると、ネジ３４の取り外し作業が行い難くなる虞がある。
【００６０】
切り欠き２０１は、中間転写ユニット側板２００のクリーニングユニット３３が設けられているベルト上面５ａとは反対のベルト下面５ｂ側に設けられている。ここで、クリーニングユニット固定爪３３ａと側板の切り欠き２０１が、クリーニングユニット３３を中間転写ユニット３２に固定するための固定手段を構成する。よって、中間転写ユニット３２とクリーニングユニット３３とを一体で装置本体から取り外して、クリーニングユニット３３を中間転写ユニット３２から取り外すときは、ベルト下面５ｂ側に設けたクリーニングユニット固定爪３３ａと切り欠き２０１の係合を解除するために、中間転写ユニット３２を天地逆にひっくり返す必要がある。
【００６１】
このため、クリーニングユニット３３のトナー入口３５が中間転写ユニット３２から外れる際は、常に上方を向いているため、クリーニングユニット３３外へのトナー漏れを防ぐことができ、画像形成装置内（中間転写ユニット３２内を含む）にトナーが漏れることで、転写紙１５を汚してしまったり、画像形成機の動作不良の原因になったり、機外にトナーが漏れることで床を汚してしまったりすることを防止することが可能となる。
【００６２】
クリーニングユニット固定爪３３ａを外す際には、中間転写ユニット３２を天地逆にして行うと指示したデカル（シール、マーク）等をクリーニングユニット３３の周辺に貼付しておけば、より確実に中間転写ユニット３２の姿勢を天地正常状態から天地逆にしてクリーニングユニット固定爪３３ａを外させることが可能となり、よりトナー漏れを防ぐことが可能となる。
【００６３】
また、中間転写ユニット３２の姿勢を天地正常状態から天地逆にして設置箇所である水平部に置いた際、中間転写ユニット３２もしくはクリーニングユニット３３が略水平になるようにしておけば、クリーニングユニット３３を取り外して中間転写ユニット３２を持ち上げた際にクリーニングユニット３３の姿勢変化がないため、より効果的にトナーの漏出を防ぐことが可能となる。
【００６４】
本実施例では、中間転写ユニット側板２００の一部であるユニット姿勢維持部材１００がクリーニングユニット３３と略同じ高さまで設けられているので、ユニット姿勢維持部材１００とクリーニングユニット３３とを水平部に着けて置くことで、中間転写ユニット３２の姿勢を天地正常状態から天地逆にして略水平にできる。さらに、この構成によれば、画像形成装置本体から中間転写ユニット３２とクリーニングユニット３３とを一体で取り外し床などの設置箇所に置いた場合に、中間転写ユニット３２が傾いて中間転写ベルト５に傷を付けることを防ぐこともできる。
【００６５】
また、本構成においては、クリーニングユニット３３が中間転写ベルト５の折り返し点に近くない場合であっても、トナーの漏出を防ぐことが可能となる。
【００６６】
また、中間転写ユニット３２の姿勢を天地正常状態から天地を逆にしてクリーニングユニット３３を取り外すのは、クリーニングユニット３３などのメンテナンス時であると良い。本発明を適用することでユーザの使用場所でクリーニングユニット３３を取り外してもトナーがこぼれない。
【００６７】
［実施例２］
図７は、クリーニングユニット３３がついた中間転写ユニット３２を天地正常状態から天地逆の姿勢にして平面においた場合の概念図である。
【００６８】
クリーニングユニット３３は、中間転写ユニット３２やクリーニングユニット３３が画像形成装置本体に装着されており中間転写ユニット３２の姿勢が天地正常状態ではアクセスが困難な位置にあるベルト幅方向左右の計４箇所で、ネジ３４により締結されて中間転写ユニット３２に強固に固定されている。なお、図７においては、ベルト幅方向左右の一方側の２箇所にあるネジ３４を示している。
【００６９】
中間転写ユニット側板２００及びクリーニングユニット３３の固定部３３ｂには、それぞれ穴が設けられている。なお、中間転写ユニット側板２００に設けられた穴は不図示であり、クリーニングユニット３３の固定部３３ｂに設けられた穴は符号３３ｃである。これら穴とネジ３４とが、クリーニングユニット３３を中間転写ユニット３２に固定するための固定手段を構成する。固定手段は、天地正常状態における中間転写ベルト５のベルト下面５ｂ側に設けられているので、中間転写ユニット３２の姿勢を天地正常状態から天地逆にしなければ、固定手段による固定を解除してクリーニングユニット３３を中間転写ユニット３２から取り外すのが困難である。
【００７０】
よって、中間転写ユニット３２からクリーニングユニット３３を取り外す際に、中間転写ユニット３２の姿勢が天地正常状態では、構成上クリーニングユニット３３を外すことが困難であるため、中間転写ユニット３２とクリーニングユニット３３とを一体で装置本体から取り外して中間転写ユニット３２の姿勢を天地正常状態から天地逆にしてクリーニングユニット３３のトナー入口３５が上を向いた状態で、中間転写ユニット３２の姿勢をユニット姿勢維持部材１００により維持させて床などの設置箇所に置き、クリーニングユニット３３を固定している左右計４本のネジ３４を外して、クリーニングユニット３３を中間転写ユニット３２からベルト張架方向（図中矢印Ａ方向）にスライドさせて取り外しを行う。また、中間転写ユニット側板２００の端部には段差が設けられており、クリーニングユニット３３を図中矢印Ａ方向にスライド可能に案内する案内部となっている。
【００７１】
このため、クリーニングユニット３３を中間転写ユニット３２から取り外す際は、常にクリーニングユニット３３のトナー入口３５が上方を向いているため、クリーニングユニット３３外へのトナーの漏出を防ぐことができ、画像形成装置内（中間転写ユニット３２内を含む）にトナーが漏れることで、転写紙１５を汚してしまったり、画像形成装置の動作不良の原因になったり、機外にトナーがもれることで床を汚してしまったりすることを防止することが可能となる。
【００７２】
また、クリーニングユニット３３の中間転写ユニット３２への取り付け部を別部品にして、クリーニングユニット３３を中間転写ユニット３２に対してスライドせずに取り外しが可能な構成にしてもよい。
【００７３】
なお、その他の構成については実施例１と同様のため、その説明を省略する。
【００７４】
［実施例３］
図８はクリーニングユニット３３の取り付け部を示す概念図である。
実施例１と構成は似ているが、クリーニングユニット固定爪３３ａが中間転写ユニット側板２００のベルト下面５ｂ側ではなく側面に設けられている点が異なる。
【００７５】
クリーニングユニット３３は、ベルト幅方向左右計４箇所のネジ３４及び左右計４箇所のクリーニングユニット固定爪３３ａにて中間転写ユニット３２に対して固定されている。なお、図８においては、ベルト幅方向左右の一方側の２箇所にあるネジ３４やクリーニングユニット固定爪３３ａを示している。
【００７６】
ネジ３４は、中間転写ユニット３２の姿勢が天地正常状態で、上方からアクセス可能な位置で中間転写ユニット３２とクリーニングユニット３３とを締結しており、強固にクリーニングユニット３３を中間転写ユニット３２に固定することができる。一方、クリーニングユニット固定爪３３ａは、中間転写ユニット３２とクリーニングユニット３３とを一体で装置本体から取り外し、中間転写ユニット３２の姿勢を天地正常状態から天地逆にした状態で、中間転写ユニット３２からクリーニングユニット３３を取り外せるようにアクセスが可能となっている。
【００７７】
すなわち、中間転写ユニット３２からクリーニングユニット３３を取り外す際には、まず中間転写ユニット３２を天地正常状態にてクリーニングユニット３３を固定している左右計４本のネジ３４を外し、次に中間転写ユニット３２とクリーニングユニット３３とを一体で装置本体から取り外して中間転写ユニット３２の姿勢を天地正常状態から天地逆にし、クリーニングユニット３３のトナー入口３５が上を向いた状態で、中間転写ユニット３２の姿勢をユニット姿勢維持部材１００により維持させて床などの設置箇所に置き、クリーニングユニット固定爪３３ａを外すことで中間転写ユニット３２からクリーニングユニット３３の取り外しを行う。
【００７８】
このため、クリーニングユニット３３を中間転写ユニット３２から取り外す際は、常にクリーニングユニット３３のトナー入口３５が上方を向いているため、クリーニングユニット３３外へのトナーの漏出を防ぐことができ、画像形成装置内（中間転写ユニット３２内を含む）にトナーが漏れることで、転写紙１５を汚してしまったり、画像形成機の動作不良の原因になったり、機外にトナーがもれることで床を汚してしまったりすることを防止することが可能となる。
【００７９】
また、中間転写ユニット３２の姿勢を天地正常状態から天地逆にして行うと指示したデカル（シール、マーク）等をクリーニングユニット３３の周辺に貼付しておけば、より確実に中間転写ユニット３２を天地逆にしてからクリーニングユニット固定爪３３ａを外させることが可能となり、よりトナー漏れを防ぐことが可能となる。
【００８０】
なお、その他の構成については実施例１と同様のため、その説明を省略する。
【００８１】
実施例１、実施例２及び実施例３では、ベルトユニットとして中間転写ベルト５を有する中間転写ユニット３２について説明したが、これに限定されない。例えば、感光体ドラム１からトナー像が直接、転写紙１５に転写されるように転写紙１５を表面に担持して搬送する転写紙搬送ベルト（所謂直接転写型の画像形成装置に用いられる用紙搬送ベルト）を有するベルトユニットや、ベルト状の潜像担持体である感光体ベルトを有するベルトユニットにも適用できる。
【００８２】
以上、本実施形態によれば、無端状のベルト部材である中間転写ベルト５と、中間転写ベルト５を張架する複数の張架部材とからなるベルトユニットである中間転写ユニット３２と、中間転写ベルト５の表面に臨んで下向きに開口された回収口であるトナー入口３５を有し、中間転写ベルト表面の付着物である転写残トナーをトナー入口３５から取り込むことで除去するクリーニングユニットであるクリーニングユニット３３とを備え、中間転写ユニット３２とクリーニングユニット３３とが一体となった状態で画像形成装置に対し着脱可能なベルト装置であって、画像形成装置からベルト装置を取り外した状態で中間転写ユニット３２に対してクリーニングユニット３３が着脱可能であり、画像形成装置からベルト装置が取り外され、中間転写ユニット３２と一体となったクリーニングユニット３３をトナー入口３５が上を向いた状態で水平な設置箇所に着けて置いたときに、前記水平な設置箇所に着いてクリーニングユニット３３と共に中間転写ユニット３２の姿勢を維持するユニット姿勢維持手段であるユニット姿勢維持部材１００を有する。本実施形態では、装置から中間転写ユニット３２とクリーニングユニット３３とを一体で取り外し、クリーニングユニット３３のトナー入口３５が上を向いた状態で、中間転写ユニット３２の姿勢をユニット姿勢維持部材１００により維持させて床などの設置箇所に置くことができる。これにより、装置から中間転写ベルト３２とクリーニングユニット３３とを一体で取り外しトナー入口３５が上を向いた状態で中間転写ユニット３２を床などの設置箇所に置いてから、クリーニングユニット３３を中間転写ベルト３２から取り外すことができる。よって、クリーニングユニット３３を取り外した際に、クリーニングユニット３３内に回収された転写残トナーが重力によりトナー入口３５から外部に漏れ出すのを抑制することができる。
また、本実施形態によれば、中間転写ユニット３２に対してクリーニングユニット３３を固定する固定手段を有しており、前記固定手段を中間転写ユニット３２のベルト下面５ｂ側に設けたことで、中間転写ユニット３２の姿勢を天地正常状態から天地逆にしないと前記固定手段を取り外し難いので、中間転写ユニット３２の姿勢を天地正常状態から天地逆にせずトナー入口３５が下を向いた状態でクリーニングユニット３３が取り外されてしまうのを抑制することができる。
また、本実施形態によれば、中間転写ベルト５のベルト部材幅方向両側において前記複数の張架部材を支持する支持部材である中間転写ユニット側板２００を備えており、前記固定手段は、中間転写ユニット側板２００の底面に設けた切り欠き２０１と、クリーニングユニット３３に設けられ切り欠き２０１と係合する係合部材であるクリーニングユニット固定爪３３ａとからなることで、中間転写ユニット３２からクリーニングユニット３３を取り外す際に、中間転写ユニット３２の天地を逆にして、クリーニングユニット固定爪３３ａを中間転写ユニット側板２００に設けられた切り欠き２０１から外すことでクリーニングユニット３３の取り外しを行うことができる。
また、本実施形態によれば、中間転写ベルト５のベルト部材幅方向両側において前記複数の張架部材を支持する支持部材である中間転写ユニット側板２００を備えており、前記固定手段は、中間転写ユニット側板２００の底面に設けた第１の穴と、クリーニングユニット３３に設けられた第２の穴と、前記第１の穴と前記第２の穴とに挿入され中間転写ユニット側板２００とクリーニングユニット３３とを締結する締結部材であるネジ３４とからなることで、強固にクリーニングユニット３３を中間転写ユニット側板２００に固定することができる。
また、本実施形態によれば、中間転写ユニット側板２００は、前記記固定手段による固定を外した状態でクリーニングユニット３３をスライド移動可能に案内するガイド部を有することで、クリーニングユニット３３を中間転写ユニット３２からスライドさせて取り外すことができる。
また、本実施形態によれば、ユニット姿勢維持部材１００は、中間転写ユニット３２を水平な設置箇所に置いたときに、中間転写ユニット３２が略水平となるように姿勢を維持することで、クリーニングユニット３３を取り外して中間転写ユニット３２を持ち上げた際にクリーニングユニット３３の姿勢変化がないため、より効果的にトナーの漏出を防ぐことが可能となる。
また、本実施形態によれば、中間転写ユニット側板２００の一部を延設させてユニット姿勢維持部材１００を設ければ構成を簡単にすることができる。
また、本実施形態によれば、トナー像を形成するトナー像形成手段と、自らのループ内側に配設された複数の張架部材によって張架され無端移動せしめられる無端状のベルト部材である中間転写ベルト５と、中間転写ベルト５の表面に付着している付着物である転写残トナーを除去するクリーニングユニットとを有するベルト装置とを備えた画像形成装置において、前記ベルト装置として本発明の中間転写ユニット３２とクリーニングユニット３３とを有するベルト装置を用いたことで、クリーニングユニット３３を取り外した際にクリーニングユニット３３内に回収されたトナーがトナー入口３５から外部に漏れ出すのを抑えられ、画像形成装置内外にトナーが飛散するのを抑制することができる。
【符号の説明】
【００８３】
１      感光体ドラム
２      帯電装置
３      光書込ユニット
４      現像装置
５      中間転写ベルト
５ａ    ベルト上面
５ｂ    ベルト下面
６      ドラムクリーニング装置
７      駆動ローラ
８      テンションローラ
９      一次転写ローラ
１０    クリーニングブレード
１１    固形潤滑剤
１２    ブラシローラ
１３ａ  ブラシ対向ローラ
１３ｂ  クリーニングブレード対向ローラ
１４    二次転写ローラ
１５    転写紙
１６    定着装置
１７    加圧ローラ
１８    廃トナー搬送スクリュー
２６    プロセスユニット
３２    中間転写ユニット
３３    クリーニングユニット
３３ａ  クリーニングユニット固定爪
３３ｂ  固定部
３３ｃ  穴
３４    ネジ
３５    トナー入口
４１    給紙トレイ
４２    給紙ローラ
４３    レジストローラ
４４    レジストローラ
４５    加熱ローラ
４５ａ  ヒータ
４７    加圧ローラ
４８    排紙ローラ対
５６    排紙トレイ
１００  ユニット姿勢維持部材
２００  中間転写ユニット側板
【先行技術文献】
【特許文献】
【００８４】
【特許文献１】特開２００８−４０４０３号公報
【図１】
0005741998.tif 000004
【図２】
0005741998.tif 000005
【図３】
0005741998.tif 000006
【図４】
0005741998.tif 000007
【図５】
0005741998.tif 000008
【図６】
0005741998.tif 000009
【図７】
0005741998.tif 000010
【図８】
0005741998.tif 000011